(57)【要約】【課題】  留守録機能がオンされても１件の呼出操作による映像の保存を１映像のみとしてメモリを効率良く利用でき、その際来訪者に関する情報を多く含む映像を残す。【解決手段】  居室親機２は映像及び音声を保存するメモリ２８と、音声の有無を判定する音声検出部３３とを有し、親機ＣＰＵ３１は、留守録機能がオン状態で玄関子機１が呼出操作されたら、子機カメラ１５を起動して一定時間の撮像映像を第１の動画としてメモリ２８に保存し、その後録音を促すメッセージを玄関子機１から報音させた後、玄関子機１が集音した一定時間の音情報をメモリ２８に保存すると共に、音情報の保存に連動させて子機カメラ１５の撮像映像をメモリ２８に第２の動画として保存し、更に音声検出部３３が保存された音情報に音声があると判断したら第１の動画Ｍ１を消去し、保存された音情報に音声が無いと判断したら第２の動画Ｍ２を消去する。【選択図】  図１
2018160842.tif 000002
【特許請求の範囲】
【請求項１】
来訪者が居住者を呼び出すための玄関子機と、前記玄関子機からの呼び出しに居住者が応答するための居室親機とを有し、前記玄関子機には来訪者を撮像するためのカメラを備える一方、前記居室親機には前記カメラの撮像映像を表示するモニタを備え、更に前記居室親機には呼出操作を受けたら来訪者の映像及び音声を保存する留守録機能を備えたインターホン装置であって、
前記居室親機は、来訪者に用件の録音を促すためのメッセージを記憶すると共に、映像及び音声を保存するメモリと、映像及び音声の保存を制御する保存制御部と、音声の有無を判定する音声検出部とを有し、
前記保存制御部は、前記留守録機能がオン状態で前記玄関子機が呼出操作されたら、前記カメラを起動して一定時間の撮像映像を第１の動画として前記メモリに保存し、
その後前記録音を促すメッセージを前記玄関子機から報音させた後、前記玄関子機が集音した一定時間の音情報を前記メモリに保存すると共に、前記音情報の保存に連動させて前記カメラの撮像映像を前記メモリに第２の動画として保存し、
更に前記保存制御部は、前記音声検出部が保存された前記音情報に音声があると判断したら前記第１の動画を消去し、保存された前記音情報に音声が無いと判断したら前記第２の動画を消去することを特徴とするインターホン装置。
【請求項２】
来訪者が居住者を呼び出すための玄関子機と、前記玄関子機からの呼び出しに居住者が応答するための居室親機とを有し、前記玄関子機には来訪者を撮像するためのカメラを備える一方、前記居室親機には前記カメラの撮像映像を表示するモニタを備え、更に前記居室親機には呼出操作を受けたら来訪者の映像及び音声を保存する留守録機能を備えたインターホン装置であって、
前記居室親機は、来訪者に用件の録音を促すためのメッセージを記憶すると共に、映像及び音声を保存するメモリと、映像及び音声の保存を制御する保存制御部と、映像から人物の有無を判断する人物検知部とを有し、
前記保存制御部は、前記留守録機能がオン状態で前記玄関子機が呼出操作されたら、前記カメラを起動して一定時間の撮像映像を第１の動画として前記メモリに保存し、
その後前前記録音を促すメッセージを前記玄関子機から報音させた後、前記玄関子機が集音した一定時間の音情報を前記メモリに保存すると共に、前記音情報の保存に連動させて前記カメラの撮像映像を前記メモリに第２の動画として保存し、
更に前記保存制御部は、前記人物検知部が前記第２の動画に人物の存在を検知したら前記第１の動画を消去し、前記第２の動画に人物の存在を検知しなければ前記第２の動画を消去することを特徴とするインターホン装置。
【請求項３】
前記保存制御部は、前記第１の動画の最初の画像を静止画として別途前記メモリに保存することを特徴とする請求項１又は２記載のインターホン装置。
【請求項４】
前記保存制御部は、呼出操作を受けた後、数秒経過してから前記第１の動画の録画を開始することを特徴とする請求項３記載のインターホン装置。
【発明の詳細な説明】
【技術分野】
【０００１】
本発明はインターホン装置に関し、特に来訪者の映像及び音声を保存する機能を備えたインターホン装置に関する。
【背景技術】
【０００２】
従来より、来訪者の映像及び音声を保存する機能を備えたインターホン装置がある。例えば留守録機能を備えたインターホン装置では、留守時に来訪者があったら玄関子機のカメラにより来訪者を撮像してその映像を保存し、引き続き来訪者に対して用件の録音を促すメッセージを玄関子機から報音して、その後に来訪者音声を録音すると共に２度目の録画をおこなった（例えば、特許文献１参照）。
【先行技術文献】
【特許文献】
【０００３】
【特許文献１】特開２００７−２６７２５３号公報
【発明の概要】
【発明が解決しようとする課題】
【０００４】
来訪者の用件を録音する機能を備えた上記インターホン装置は、用件の録音を促すメッセージを報音する前後でカメラの撮像映像を録画したことで、用件の録音を促すメッセージを報音したら録音せずに帰ってしまう来訪者に対しても来訪者の映像を残すことができた。
しかしながら、録音を促すメッセージの報音前後の映像を録画する場合、１件の呼出操作に対して２度録画することになり、メモリ上では通常の録画操作の２件分の録画エリアを使用していた。そのため、メモリは通常３０件程度の録画が可能な容量を備えているが、留守録設定した場合に録画できる件数は半分の１５件分程度となり、メモリ容量を十分に活用できていなかった。
【０００５】
そこで、本発明はこのような問題点に鑑み、留守録機能がオンされても１件の呼出操作による映像の保存を１映像のみとしてメモリを効率良く利用でき、その際来訪者に関する情報を多く含む映像を残すことができるインターホン装置を提供することを目的としている。
【課題を解決するための手段】
【０００６】
上記課題を解決する為に、請求項１の発明は、来訪者が居住者を呼び出すための玄関子機と、玄関子機からの呼び出しに居住者が応答するための居室親機とを有し、玄関子機には来訪者を撮像するためのカメラを備える一方、居室親機にはカメラの撮像映像を表示するモニタを備え、更に居室親機には呼出操作を受けたら来訪者の映像及び音声を保存する留守録機能を備えたインターホン装置であって、居室親機は、来訪者に用件の録音を促すためのメッセージを記憶すると共に、映像及び音声を保存するメモリと、映像及び音声の保存を制御する保存制御部と、音声の有無を判定する音声検出部とを有し、保存制御部は、留守録機能がオン状態で玄関子機が呼出操作されたら、カメラを起動して一定時間の撮像映像を第１の動画としてメモリに保存し、その後録音を促すメッセージを玄関子機から報音させた後、玄関子機が集音した一定時間の音情報をメモリに保存すると共に、音情報の保存に連動させてカメラの撮像映像をメモリに第２の動画として保存し、更に保存制御部は、音声検出部が保存された音情報に音声があると判断したら第１の動画を消去し、保存された音情報に音声が無いと判断したら第２の動画を消去することを特徴とする。
この構成によれば、メッセージ報音前の第１の動画と報音後の第２の動画の双方をまず保存するが、最終的に一方は消去されるため、メモリ容量を増やすことなく従来の２倍の来訪者映像を保存でき、メモリの有効利用を図ることができる。そして、来訪者の音声が保存されている場合は第２の動画が残るため、来訪者の映像に加えて用件を把握でき、情報来訪者に関する情報を多く含む映像を残すことができる。
【０００７】
請求項２の発明は、来訪者が居住者を呼び出すための玄関子機と、玄関子機からの呼び出しに居住者が応答するための居室親機とを有し、玄関子機には来訪者を撮像するためのカメラを備える一方、居室親機にはカメラの撮像映像を表示するモニタを備え、更に居室親機には呼出操作を受けたら来訪者の映像及び音声を保存する留守録機能を備えたインターホン装置であって、居室親機は、来訪者に用件の録音を促すためのメッセージを記憶すると共に、映像及び音声を保存するメモリと、映像及び音声の保存を制御する保存制御部と、映像から人物の有無を判断する人物検知部とを有し、保存制御部は、留守録機能がオン状態で玄関子機が呼出操作されたら、カメラを起動して一定時間の撮像映像を第１の動画としてメモリに保存し、その後録音を促すメッセージを玄関子機から報音させた後、玄関子機が集音した一定時間の音情報をメモリに保存すると共に、音情報の保存に連動させてカメラの撮像映像をメモリに第２の動画として保存し、更に保存制御部は、人物検知部が第２の動画に人物の存在を検知したら第１の動画を消去し、第２の動画に人物の存在を検知しなければ第２の動画を消去することを特徴とする。
この構成によれば、メッセージ報音前の第１の動画と報音後の第２の動画の双方をまず保存するが、最終的に一方は消去されるため、メモリ容量を増やすことなく従来の２倍の来訪者映像を保存でき、メモリの有効利用を図ることができる。そして、第２の動画に人物の存在を検知したら第２の動画が残るため、来訪者映像に加えて録音音声も聞くことが可能であり、来訪者に関する情報を多く含むと判断できる映像を残すことができる。
【０００８】
請求項３の発明は、請求項１又は２に記載の構成において、保存制御部は、第１の動画の最初の画像を静止画として別途メモリに保存することを特徴とする。
この構成によれば、静止画も保存するため、動画が削除されても来訪者を画像で確認することができる。また、動画の一部から静止画を抽出するため、静止画のために別途カメラを起動する必要がない。
【０００９】
請求項４の発明は、請求項３に記載の構成において、保存制御部は、呼出操作を受けた後、数秒経過してから第１の動画の録画を開始することを特徴とする。
この構成によれば、呼出操作を受けた直後はまだ来訪者がカメラの前に達していないことが多いため、例えば呼出操作を受けてから僅かにタイミングを遅らせてカメラの撮像映像の録画を開始することで、静止画でも来訪者が映り込んだ画像を得やすく、来訪者の確認に有効である。
【発明の効果】
【００１０】
本発明によれば、メッセージ報音前の第１の動画と報音後の第２の動画の双方をまず保存するが、最終的に一方は消去されるため、メモリ容量を増やすことなく従来の２倍の来訪者映像を保存でき、メモリの有効利用を図ることができる。そして、音声メッセージが残されている場合、或いは第２の動画に人物が確認できる場合は第２の動画を残すため、来訪者に関する情報を多く含むと判断できる映像を残すことができる。
【図面の簡単な説明】
【００１１】
【図１】本発明に係るインターホン装置の一例を示すブロック図である。
【図２】呼出操作を受けてから映像／音声を保存する流れを示すタイミング図である。
【図３】インターホン装置の他の形態を示す居室親機のブロック図である。
【発明を実施するための形態】
【００１２】
以下、本発明を具体化した実施の形態を、図面を参照して詳細に説明する。図１は本発明に係るインターホン装置の一例を示すブロック図であり、１は来訪者が居住者を呼び出すための玄関子機、２は玄関子機１からの呼び出しに居住者が応答するための居室親機である。両者は伝送線Ｌ１により接続されている。
【００１３】
玄関子機１は、呼出操作する呼出ボタン１１、通話するためのマイク１２及びスピーカ１３を備えた子機音響制御部１４、来訪者を撮像するための子機カメラ１５、居室親機２と通信するための子機ＩＦ１６等を備えている。
【００１４】
居室親機２は、玄関子機１からの呼び出しに応答するための通話ボタン２１、通話するためのマイク２２及びスピーカ２３を備えた親機音響制御部２４、子機カメラ１５の撮像映像を表示するためのモニタ２５、モニタ２５に表示する映像を処理する映像処理部２６、留守録機能をオン設定する留守録ボタン２７、映像及び音声を保存するメモリ２８、所定のメッセージ音声を記憶するメッセージ記憶部２９、保存映像の再生操作する再生ボタン３０、居室親機２を制御する親機ＣＰＵ３１、玄関子機１と通信する親機ＩＦ３２、音声の有無を判断する音声検出部３３等を備えている。
【００１５】
上記の如く構成されたインターホン装置は以下の様に動作する。まず、留守録設定されていない通常時（留守録機能オフ時）の動作を説明する。
玄関子機１の呼出ボタン１１が押下されて呼び出しがなされると、親機ＣＰＵ３１の制御により居室親機２のスピーカ２３で呼出音が放音されると同時に、子機カメラ１５が撮像を開始して撮像された映像がモニタ２５に表示される。呼出音で来訪者に気づいた居住者により、モニタ２５の表示映像を見て来訪者を確認しながら通話ボタン２１が押下されると、玄関子機１と居室親機２との間で通話路が形成され、来訪者と居住者の間で通話が可能となる。
【００１６】
また親機ＣＰＵ３１は、子機カメラ１５の撮像映像の保存制御を行う。図２は呼出操作を受けてから映像／音声を保存する流れを示すタイミング図であり、この図２を参照して説明する。具体的に、呼出操作を受けて撮像を開始した子機カメラ１５の撮像映像のうち、呼出操作を受けてから２秒経過した時点で映像の保存を開始し、一定時間（例えば、１０秒間）の映像（第１の動画Ｍ１）をメモリ２８に保存する。但し、一定時間が経過する前に通話が終了したら（終話操作されたら）映像の保存はその時点で終了となる。
更に保存した第１の動画Ｍ１の最初の画像フレームを静止画Ｐ１としてメモリ２８に別途保存する。
【００１７】
次に、留守録設定が成されて留守録機能がオンした場合の動作を説明する。居室親機２の留守録ボタン２７が押下されることで、留守録機能がオンして留守録モード動作を開始し、以下の様に動作する。
玄関子機１の呼出ボタン１１が押下されて呼び出しが行われると、親機ＣＰＵ３１の制御により居室親機２で呼出音が放音されると同時に、子機カメラ１５が撮像を開始して撮像された映像がモニタ２５に表示される。
そして、呼出操作を受けて撮像を開始した子機カメラ１５の撮像映像のうち、呼出操作を受けてから２秒経過した時点で映像の保存を開始し、一定時間（例えば１０秒）の映像（第１の動画Ｍ１）をメモリ２８に保存（仮保存）する。更に保存した第１の動画Ｍ１の最初の画像フレームを静止画Ｐ１としてメモリ２８に別途保存する。
【００１８】
ここまでは、留守録機能がオフの場合と動作が共通しているが、更に親機ＣＰＵ３１の制御により以下の動作が行われる。
その後、一定時間が経過して第１の動画Ｍ１の保存が終了したら、次に用件の録音を促すために、メッセージ記憶部２９に記憶されている音声メッセージＶ１が玄関子機１から報音される。例えば、「ただ今出ることができません。メッセージをどうぞ」のメッセージが玄関子機１から放音される。
【００１９】
そして、この報音が終了したら玄関子機１のマイク１２が集音する来訪者音声の保存Ｖ２が開始され、一定時間（ここでは１５秒）録音Ｖ２されてメモリ２８に保存される。
更に、この音声の保存に連動して子機カメラ１５の撮像映像（第２の動画Ｍ２）もメモリ２８に保存（仮保存）される。
但し、この音声保存に合わせて音声検出部３３が起動し、保存される音に音声があるか判断され、音声の有無に応じて本保存する対象が決定される。つまり、録音された音の中に音声があると判断された場合は、静止画Ｐ１とともに第２の動画Ｍ２が本保存され、第１の動画Ｍ１は消去される。
そして、音声無しと判断されたら、静止画Ｐ１と共に第１の動画Ｍ１が本保存されて第２の動画Ｍ２及び保存音声Ｖ２は消去される。
【００２０】
このように、メッセージ報音前の第１の動画Ｍ１と報音後の第２の動画Ｍ２の双方をまず保存するが、最終的に一方は消去されるため、メモリ２８の容量を増やすことなく従来の２倍の来訪者映像を保存でき、メモリ２８の有効利用を図ることができる。そして、来訪者の音声が保存されている場合は第２の動画Ｍ２が残るため来訪者の用件を把握できる。一方、音声が確認できなかった場合は、第２の動画Ｍ２には来訪者が帰ってしまい写っていないと考えられるため第２の動画が削除される。よって、来訪者に関する情報を多く含む映像を残すことができる。
また、静止画Ｐ１も保存するため、動画が削除されても来訪者を画像で確認することができる。そして、動画の一部から静止画Ｐ１を抽出するため、静止画Ｐ１のために別途子機カメラ１５を起動する必要がない。
更に、呼出操作を受けた直後はまだ来訪者が子機カメラ１５の前に達していないことが多いため、例えば呼出操作を受けてから僅かにタイミングを遅らせて子機カメラ１５の撮像映像の録画を開始することで、静止画Ｐ１でも来訪者が映り込んだ画像を得やすく、来訪者の確認に有効である。
【００２１】
図３はインターホン装置の他の形態を示し、居室親機２のブロック図を示している。図１に示す居室親機２とは、音声検出部３３が無く代わりに人物検出部３４を備えている点が相違している。玄関子機１の構成を含め、その他の構成要素は共通であるため説明を省略し、以下動作を説明する。尚、人物検出部３４は、子機カメラ１５が撮像する映像の中に人物（特に顔）が映っていたらそれを検出する機能を有している。
【００２２】
静止画Ｐ１、第１の動画Ｍ１、音声Ｖ２、第２の動画Ｍ２の保存動作は、上記図２に示す流れと同様であるため説明を省略し、以下のように保存動画が選択される。
第２の動画Ｍ２の保存制御に合わせて人物検出部３４が起動し、保存される映像に人物が写っているか判断され、人物の有無に応じて本保存する対象が決定される。第２の動画Ｍ２の中に人物が居ると判断された場合は、静止画Ｐ１と共に第２の動画Ｍ２が本保存され、第１の動画Ｍ１は消去される。
一方、第２の動画Ｍ２に人物が居ないと判断されたら、静止画Ｐ１と共に第１の動画Ｍ１が本保存されて第２の動画Ｍ２及び保存音声Ｖ２は消去される。
【００２３】
このように、第２の動画Ｍ２に人物の存在を検知したら音声の有無を確認することなく第２の動画Ｍ２を残し、第１の動画Ｍ１を消去しても良く、来訪者がメッセージ報音後も残っている場合は用件を録音する行為を行っていると見ることができ、映像に加えて録音音声も聞くことが可能である。一方、第２の動画に人物の存在が確認できない場合は、用件の録音も無いと判断できるため、第１の動画を残すことで来訪者に関する情報を多く含むと判断できる映像を残すことができる。
そして、メッセージ報音前の第１の動画Ｍ１と報音後の第２の動画Ｍ２の双方をまず保存するが、最終的に一方は消去されるため、メモリ２８の容量を増やすことなく従来の２倍の来訪者映像を保存でき、メモリ２８の有効利用を図ることができる。
【００２４】
尚、上記実施形態では、第１の動画Ｍ１の録画時間を１０秒、第２の動画Ｍ２の録画時間を１５秒としているが、保存する映像の録画時間は任意であるし、呼出操作を受けてから静止画を録画するまでの待ち時間も２秒で固定するものではなく、１秒から４秒程度の間の数秒に設定すると良い。
また、本発明のインターホン装置は戸建住宅に対して適用できるが、集合住宅に対すても適用でき、エントランスに設置されて住戸を選択して呼び出すための集合玄関機（図示せず）を上記玄関子機１とすれば良く、集合玄関機と個々の住戸に設置された居室親機２との間で上記制御を実施できる。
【符号の説明】
【００２５】
１・・玄関子機、２・・居室親機、１１・・呼出ボタン、１５・・子機カメラ（カメラ）、１２・・マイク、１３・・スピーカ、２５・・モニタ、２７・・留守録ボタン、２８・・メモリ、２９・・メッセージ記憶部、３１・・親機ＣＰＵ（保存制御部）、３３・・音声検出部、３４・・人物検出部。
【図１】
2018160842.tif 000003
【図２】
2018160842.tif 000004
【図３】
2018160842.tif 000005